(57)【特許請求の範囲】
【請求項１】
各燃料電池板が液体燃料面とその反対面の酸素含有気体面を具え、二つの燃料電池板の液体燃料面が対向するよう配置された、二つの燃料電池板と、
二つの対向する燃料電池板の間の間隙が毛細管機能を具備する範囲まで小さくされ、その間隙が１０〜１０００μｍとされ毛管現象による燃料輸送の機能を具備するよう形成された、毛細チャネルと、
毛細チャネルを挟んで対向する二つの燃料電池板の二つの長側及び一つの幅側辺を連接する、三つの液体隔離層と、
を具え、以上で電池ユニットが組成され、複数組の該電池ユニットにより組成されたことを特徴とする、毛細輸送燃料電池。
【発明の詳細な説明】
【０００１】
【発明の属する技術分野】
本発明は一種の毛細輸送燃料電池に係り、特に、二つの燃料電池板の間隙が適当な範囲まで小さくされる時に、毛細管とされて燃料輸送の機能を有することを利用して形成された、毛細輸送燃料電池であって、周知の燃料ポンプ輸送の技術の不必要な燃料輸送パイプを減少し、電池体積をマイクロ化した、毛細輸送燃料電池に関する。
【０００２】
【従来の技術】
現代のハイテクノロジー製品中、例えば携帯電話（ｃｅｌｌｕｌａｒ  ｐｈｏｎｅ）、ノートパソコン、ＧＰＳ（ｇｌｏｂａｌ  ｐｏｓｉｔｉｏｎ  ｓｙｓｔｅｍ）、ページャ、ＰＤＡ（ｐｅｒｓｏｎａｌ  ｄｉｇｉｔａｌ  ａｓｓｉｓｔａｎｔ）は、近年のハイテクノロジー製品の普及と市場の競争の激化により、体積の小型化、携帯の利便性が要求されるだけでなく、高機能を有することが求められる。一般の燃料電池は水素ガスと酸素ガスを原料とし、それら高温下で化学反応を発生して電気エネルギーを発生する装置である。燃料の供給と輸送の方面では、酸素ガスは空気より提供され、水素ガスは、メタノール、エタノール、天然ガス等の炭素水素化合物燃料中より取り出され、そのうち、燃料はポンプで燃料電池に送り込まれる。
【０００３】
周知の伝統的な燃料電池反応中、ほとんどがポンプで燃料を輸送管に送り込んで燃料を輸送しているが、現在の日進月歩のハイテクノロジー製品の要求する組成部品の簡素化と体積の小型化に対しては、ポンプで極めて少量の燃料を送り込むのは、制御が容易でなく、且つ技術上の困難を有しうる。
【０００４】
【発明が解決しようとする課題】
ゆえに、本発明の主要な目的は、上述の欠点を解決し、上述の欠点の存在をなくすことにあり、即ち、本発明は毛細輸送燃料電池を提供し、それは、二つの燃料電池板の間隙が適当な範囲まで小さくなった時に、毛細管とされて燃料輸送機能を有することを利用して形成された毛細輸送燃料電池とされ、周知の燃料のポンプ輸送の技術を改善し、並びに不必要な燃料輸送パイプを減少し、電池体積を微小化する。
【０００５】
【課題を解決するための手段】
請求項１の発明は、各燃料電池板が液体燃料面とその反対面の酸素含有気体面を具え、二つの燃料電池板の液体燃料面が対向するよう配置された、二つの燃料電池板と、
二つの対向する燃料電池板の間の間隙が毛細管機能を具備する範囲まで小さくされ、その間隙が１０〜１０００μｍとされ毛管現象による燃料輸送の機能を具備するよう形成された、毛細チャネルと、
毛細チャネルを挟んで対向する二つの燃料電池板の二つの長側及び一つの幅側辺を連接する、三つの液体隔離層と、
を具え、以上で電池ユニットが組成され、複数組の該電池ユニットにより組成されたことを特徴とする、毛細輸送燃料電池としている。
【０００６】
【発明の実施の形態】
上述の目的を達成するため、本発明は一種の毛細輸送燃料電池を提供し、それは、二つの燃料電池板の対向面に、適当な距離の間隙を形成し、該燃料電池板の二面を液体燃料面と酸素含有気体面となし、対向する二つの内側面を燃料に接触する液体燃料面となし、外側面を空気に接触させて酸素含有気体面とし、三つの液体隔離層で二つの対向し適当な間隙を有する燃料電池板の二つの長側辺と一つの幅側辺を連接し、そのうち二つの対向する燃料電池板の間隙が適当な範囲まで小さくなる時に、毛細管と見なされ、燃料輸送機能を有する毛細チャネルを形成する。上述のステップで一つの電池ユニットを組成し、複数の電池ユニットで毛細現象を利用して燃料を輸送する電池を形成し、周知の、ポンプで燃料を輸送する技術の欠点を改善し、並びに不必要な燃料輸送パイプを減少し、電池体積を微小化する。
【０００７】
【実施例】
図１、２及び図３に示されるように、本発明の毛細輸送燃料電池の製造フローは、図１に示されるように、二つの燃料電池板１の対向面に、適当な距離の間隙を形成し、該燃料電池板１の二面は液体燃料面２と酸素含有気体面３とされ、対向する二つの内側面が燃料に接触する液体燃料面２とされ、外側面が空気に接触し酸素含有気体面３とされ、そのうち、二つの燃料電池板１の液体燃料面２が皺状に折られて表面積が増加された平面とされ、二つの対向する燃料電池板１の間隙が適当な範囲に小さくなると、毛細管となり燃料輸送機能を有し、毛細チャネル６を形成する。そのうち、二つの対向する燃料電池板１の間隙範囲は１０〜１０００μｍで、該燃料電池板１の材質は、高分子、シリコンウエハー、金属酸化物とされうる。燃料電池板１の厚さは１０〜１０００μｍとされる。図２に示されるように、三つの液体隔離層５が熱圧、粘着溶接、拡散接合（ｄｉｆｆｕｓｉｏｎ  ｂｏｕｎｄｉｎｇ）方式で対向し適当な間隙を有する二つの燃料電池板１の二つの長側辺及び一つの幅側辺に連接される。該三つの液体隔離層５の機能は燃料電池板の間隙間の液体燃料の漏洩を防止することにあり、その液体隔離層５の材質は、高分子、多孔化金属、多孔化非金属、非金属複合物より選択される。以上で一つの電池ユニット４が組成され、図３に示されるように、複数の電池ユニット４が毛細現象を利用して燃料を輸送する一つの毛細輸送燃料電池を形成し、周知の、ポンプによる燃料輸送の技術を改善し、並びに不必要な燃料輸送パイプを減少し、電池体積を微小化する。
【０００８】
以上の説明は本発明の好ましい実施例に係るものであり、本発明の実施範囲を限定するものではなく、本発明に基づきなしうる細部の修飾或いは改変は、いずれも本発明の請求範囲に属するものとする。
【０００９】
【発明の効果】
本発明は一種の毛細輸送燃料電池を提供し、それは、二つの燃料電池板の対向面に、適当な距離の間隙を形成し、該燃料電池板の二面を液体燃料面と酸素含有気体面となし、対向する二つの内側面を燃料に接触する液体燃料面となし、外側面を空気に接触させて酸素含有気体面とし、三つの液体隔離層で二つの対向し適当な間隙を有する燃料電池板の二つの長側辺と一つの幅側辺を連接し、そのうち二つの対向する燃料電池板の間隙が適当な範囲まで小さくなる時に、毛細管と見なされ、燃料輸送機能を有する毛細チャネルを形成する。上述のステップで一つの電池ユニットを組成し、複数の電池ユニットで毛細現象を利用して燃料を輸送する電池を形成し、周知の、ポンプで燃料を輸送する技術の欠点を改善し、並びに不必要な燃料輸送パイプを減少し、電池体積を微小化する。
【図面の簡単な説明】
【図１】本発明の毛細輸送燃料電池の製造フロー表示図である。
【図２】本発明の毛細輸送燃料電池の製造フロー表示図である。
【図３】本発明の毛細輸送燃料電池の製造フロー表示図である。
【符号の説明】
１  燃料電池板
２  液体燃料面
３  酸素含有気体面
４  電池ユニット
５  液体隔離層
６  毛細チャネル
【図１】
0004368076.tif 000002
【図２】
0004368076.tif 000003
【図３】
0004368076.tif 000004